(57)【特許請求の範囲】
【請求項１】
配管を収納し上面に洗面器を有するカウンターを備える洗面器用設備ユニットにおいて、
床に固定され前記配管を支持する配管フレームと、
この配管フレームの前側に配管フレームと別体に設けられ、前記カウンターを支持する複数の支持フレームとからなり、
前記配管フレームに、間隔を開けて各支持フレームを位置調整自在に取付け、
前記支持フレームの位置調整は、左右方向であり、
前記配管フレームの上部フレームに位置調整部材を左右方向に移動可能に設け、
前記位置調整部材の左右方向移動で前記支持フレームを左右方向に位置調整可能に構成し、
前記位置調整部材は、前記左右方向に延びる上部フレームに形成した溝に沿って左右方向に移動可能な係合片に連結し、
且つ前記位置調整部材は、前記係合片との連結部よりも前記配管フレームの左右方向外側の位置で、前記支持フレームの水平部材の端部と連結している、
ことを特徴とする洗面器用設備ユニット。
【請求項２】
配管を収納し上面に洗面器を有するカウンターを備える洗面器用設備ユニットにおいて、
床に固定され前記配管を支持する配管フレームと、
この配管フレームの前側に配管フレームと別体に設けられ、前記カウンターを支持する複数の支持フレームとからなり、
前記配管フレームに、間隔を開けて各支持フレームを位置調整自在に取付け、
前記支持フレームの位置調整は、左右方向であり、
前記配管フレームの上部フレームに位置調整部材を左右方向に移動可能に設け、
前記位置調整部材の左右方向の移動で、前記支持フレームを前記配管フレームと、配管フレームの左右方向に位置する壁面と、の間で位置調整可能に構成した、
ことを特徴とする洗面器用設備ユニット。
【請求項３】
前記位置調整部材で左右方向に移動可能な支持フレームを直立支持する支柱の下端部にフィラーを設け、該フィラーを幅木と嵌合させるようにしたことを特徴とする請求項２記載の洗面器用設備ユニット。
【請求項４】
前記配管フレームに前記配管を支持する支持材を設け、この支持材は、前記配管フレームに固定する固定部と、長孔を備えＵボルトで前記配管を取付ける取付部とからなることを特徴とする請求項２記載の洗面器用設備ユニット。
【請求項５】
前記支持フレームは、床に固定される支柱と、この支柱の上端部に位置調整自在に取付けられる水平部材とで略逆Ｌ字型に形成したことを特徴とする請求項２記載の洗面器用設備ユニット。
【請求項６】
前記水平部材に対する支柱の位置調整は、前後方向であることを特徴とする請求項３記載の洗面器用設備ユニット。
【発明の詳細な説明】
【０００１】
【発明の属する技術分野】
本発明は、洗面器用設備ユニットに関するものである。
【０００２】
【従来の技術】
図１６は、従来の洗面器用設備ユニット（従来技術１）の斜視図であり、フレーム２００…を組付けて配管ケース２０１を組立て、この配管ケース２０１上に洗面器２０２，２０２を有するカウンター２０３を載置し、配管ケース２０１内のフレーム２００…の一部に、Ｕボルト２０４…で洗面器２０２，２０２用の給水管２０５、排水管２０６を固定した構成である。
【０００３】
図１７は別の従来の洗面器用設備ユニット（従来技術２）の側面図であり、洗面器を有するカウンター２１０を配管ケース２１１に載置し、配管ケース２１１内に、配管ケース２１１とは別体の配管フレーム２１２をアンカーボルト２１３で床２１４に固定し、この配管フレーム２１２の壁面２１５側に配管支持材２１６，２１６を溶接で固定し、この配管支持材２１６，２１６にＵボルト２１７，２１８で洗面器用の給水管２１９、排水管２２０を固定した構成である。
【０００４】
【発明が解決しようとする課題】
しかしながら、上記従来技術１では、配管ケース２０１内の給水管２０５、排水管２０６と、建物躯体側に予め設けられた図示せぬ設備本管とを接続する時、フレーム２００…が邪魔になって施工が難しかった。
【０００５】
従来技術２では、配管フレーム２１２を配管ケース２１１よりも先に床２１４に固定するので、この時配管フレーム２１２に給水管２１９、排水管２２０を固定することができるから、従来技術１よりは施工がし易い。
しかしながら配管フレーム２１２を壁面２１５に固定するための配管支持材２１６，２１６が配管フレーム２１２に溶接されて一体となっているので、給水管２１９、排水管２２０を、建物躯体側に予め配管されている図示せぬ設備本管に接続する際に、洗面器用設備ユニット側で設備本管の施工誤差を吸収することができなかった。
【０００６】
又、従来技術１、２共、設置した洗面所の壁面が施工誤差によって洗面所側に多少傾いていた場合、洗面器用設備ユニットによって誤差を吸収することが難しく、壁面と洗面器用設備ユニットとの間に隙間ができたり、隙間を塞ぐためにコーキングを施したりする必要が生じて見苦しかった。
【０００７】
本発明は上記課題を解決するためになされたもので、本発明の目的は、第１に施工性が良く、第２に建物躯体側に予め配管された設備本管の取付け誤差に対して容易に誤差を吸収することができ、第３に建築仕上面の施工誤差に対して容易に誤差を吸収することができる洗面器用設備ユニットを提供することにある。
【０００８】
【課題を解決するための手段】
上記目的を達成するために請求項１は、配管を収納し上面に洗面器を有するカウンターを備える洗面器用設備ユニットにおいて、床に固定され前記配管を支持する配管フレームと、この配管フレームの前側に配管フレームと別体に設けられ、前記カウンターを支持する複数の支持フレームとからなり、前記配管フレームに、間隔を開けて各支持フレームを位置調整自在に取付け、前記支持フレームの位置調整は、左右方向であり、前記配管フレームの上部フレームに位置調整部材を左右方向に移動可能に設け、前記位置調整部材の左右方向移動で前記支持フレームを左右方向に位置調整可能に構成し、前記位置調整部材は、前記左右方向に延びる上部フレームに形成した溝に沿って左右方向に移動可能な係合片に連結し、且つ前記位置調整部材は、前記係合片との連結部よりも前記配管フレームの左右方向外側の位置で、前記支持フレームの水平部材の端部と連結していることを特徴とする。
【００１０】
請求項２は、配管を収納し上面に洗面器を有するカウンターを備える洗面器用設備ユニットにおいて、床に固定され前記配管を支持する配管フレームと、この配管フレームの前側に配管フレームと別体に設けられ、前記カウンターを支持する複数の支持フレームとからなり、前記配管フレームに、間隔を開けて各支持フレームを位置調整自在に取付け、前記支持フレームの位置調整は、左右方向であり、前記配管フレームの上部フレームに位置調整部材を左右方向に移動可能に設け、前記位置調整部材の左右方向の移動で、前記支持フレームを前記配管フレームと、配管フレームの左右方向に位置する壁面と、の間で位置調整可能に構成したことを特徴とする。
【００１１】
請求項３は、請求項２において、位置調整部材で左右方向に移動可能な支持フレームを直立支持する支柱の下端部にフィラーを設け、該フィラーを幅木と嵌合させるようにしたことを特徴とする。
【００１２】
請求項４は、請求項２において、配管フレームに前記配管を支持する支持材を設け、この支持材は、前記配管フレームに固定する固定部と、長孔を備えＵボルトで前記配管を取付ける取付部とからなることを特徴とする。
【００１３】
請求項５は、請求項２において、支持フレームは、床に固定される支柱と、この支柱の上端部に位置調整自在に取付けられる水平部材とで略逆Ｌ字型に形成したことを特徴とする。
【００１４】
請求項６は、請求項３において、水平部材に対する支柱の位置調整は、前後方向であることを特徴とする。
【００１６】
【発明の実施の形態】
本発明の洗面器用設備ユニットの実施の形態を添付図に基づいて以下に説明する。なお、図面は符号の向きに見るものとする。
図１は本発明の第１実施例の洗面器用設備ユニットの分解斜視図であり、洗面器用設備ユニット１は、給水管２、排水管３、通気管４を支持する配管フレーム５と、配管フレーム５の前側に配管フレーム５と別体に設けられた複数の支持フレーム６，７，８と、支持フレーム６，７，８の上面に載置した洗面器１１，１１を有するカウンター１２と、支持フレーム６，７，８の前面に取付けた前面板１３，１３とからなる。
１５，１６，１７は前面板１３，１３のフィラー、１８は前面板１３，１３を取付けるための受材である。
【００１７】
図２は配管フレームの斜視図であり、配管フレーム５は、りっぷ溝型鋼の上部フレーム２１、中間部フレーム２２、左右の縦フレーム２３，２４、及び通常の溝型鋼の下部フレーム２５を組み付けて組立てる。上部フレーム２１、中間部フレーム２２、及び左右の縦フレーム２３，２４は、開口部を前面に向け、下部フレーム２５は、開口部を下方に向ける。中間部フレーム２２は、上部フレーム２１、左右の縦フレーム２３，２４、及び下部フレーム２５を枠型に組み付けた後、左右の縦フレーム２３，２４の前面に固定する。
【００１８】
下部フレーム２５を、上方が開放した長尺の溝型鋼の床固定材２６に嵌め込んで固定する。床固定材２６は、前面に間隔を開けて鉤の手に屈曲した２つのステー２７，２７を溶接し、このステー２７，２７を図示せぬアンカーボルトで床に固定する。
２８は、下部フレーム２５を、床固定材２６に嵌め込む時、配管フレーム５の高さを調整するアジャストボルトである。
【００１９】
左右の縦フレーム２３，２４に、給水管２、排水管３、通気管４を支持する支持材３１…を取付ける（図２は左縦フレーム２３にのみ支持材３１…を取付けた状態を示す）。
【００２０】
図３は配管フレームに配管を支持する支持材の斜視図であり、支持材３１は、前記縦フレーム２３，２４に固定する短い固定部３２と、固定部３２から９０°屈曲して形成されたやや長めの補強部３３と、補強部３３から９０°屈曲して形成され補強部３３よりも長い取付部３４とから構成した略Ｌ字型の部材である。
【００２１】
固定部３２に、取付孔３５を形成する。取付孔３５は、後述するスライドボルトで縦フレーム２３，２４に上下方向に調整自在に取付けるためのものである。固定部３２の端部に、縦フレーム２３，２４に引っ掛けるための突起３６を形成する。又、取付部３４に、Ｕボルトで給水管２、排水管３、通気管４を取付けるための２つの長孔３７，３８を形成する。手前の長孔３８は、奥の長孔３７よりも長く形成する。
尚、取付部３４の長孔は、Ｕボルトを取付けられる長さがあれば１つでも良い。
【００２２】
図４は配管フレームに建付けるカウンター用の支持フレームの分解斜視図であり、左側の支持フレーム６と、中間部の支持フレーム７と、右側の支持フレーム８を配管フレーム５に間隔をおいて取付け、取付けた状態で３つの支持フレーム６，７，８を左右対称に形成する。
【００２３】
支持フレーム８（３つの支持フレーム６，７，８を代表して支持フレーム８について説明する）は、支柱４１と、支柱４１の上端部に取付けられる水平部材４２とで略逆Ｌ字型に形成する。この水平部材４２の後部に水平に溶接で位置調整部材４３を取付ける。
【００２４】
位置調整部材４３を、後述するスライドボルトによって、配管フレーム５に、左右方向に位置調整自在に取付ける。また支柱４１の下端部に水平に取付部材４４を溶接で固定する。この取付部材４４を、床に固定する幅木４５に取付ける。幅木４５は、上方が開放した溝型鋼のようなチャンネル部材である。
４６は、幅木４５のフィラーであり、側面視幅木４５と同形で、幅木４５よりもひと周り小さく形成する。
【００２５】
図５はスライドボルトの斜視図であり、配管フレーム５の上部フレーム２１にスライドボルト５１を嵌める。スライドボルト５１は、基部５２と、基部５２の両側に形成され、上部フレーム２１の溝５３に係合する左右対称の１対の湾曲した係合片５４，５４と、基部５２に固定されたボルト５５とからなる。スライドボルト５１は、上部フレーム２１の溝５３に沿って左右方向に自在に移動できる。
【００２６】
図６は配管フレームにスライドボルトで取付ける支持フレームの要部の斜視図であり、支持フレーム８の位置調整部材４３は、水平部材４２の後部に溶接で固定する縦片５７と、縦片５７の上端部を直角に折曲して形成した上片５８とからなる鉤の手状の部材である。位置調整部材４３の縦片５７に取付孔５９を形成する。この取付孔５９に、配管フレーム５の上部フレーム２１の溝５３に嵌めたスライドボルト５１を挿通し、上部フレーム２１の前面に、位置調整部材４３をワッシャ６１とナット６２で固定する。
スライドボルト５１を上部フレーム２１の溝５３に沿って左右方向に移動させることによって、支持フレーム８の取付位置を調整することができる。
【００２７】
図７は支持フレームの分解斜視図であり、支持フレーム８は、支柱４１も、水平部材４２も、りっぷ溝型鋼で形成する。支柱４１は、開放部を後方（図の右方向）に向け、水平部材４２は、開放部を下方に向ける。支柱４１は、アングル材６４で水平部材４２に位置調整自在に取付ける。
【００２８】
アングル材６４は、直角に折曲して形成した第１の係合片６５と、第２の係合片６６とからなり、夫々取付孔６７…を備え、両端部に耳片６８，６８を備える。耳片６８，６８の間隔は、支柱４１及び水平部材４２を挟持する大きさである。
【００２９】
前記スライドボルト５１を、水平部材４２の溝７１に嵌め、同様に別のスライドボルト５１を支柱４１の溝７２に嵌め、夫々のスライドボルト５１，５１をアングル材６４の取付孔６７…に挿通し、ワッシャ６１，６１及びナット６２，６２で固定する。
【００３０】
スライドボルト５１を水平部材４２の溝７１に沿って移動させることによって、洗面器用設備ユニット１を設置した後方の図示せぬ壁（図の右側方向）が施工誤差によって前方に多少傾いていても、水平部材４２の支柱４１に対する取付け位置を調整して、容易にこの誤差を吸収することができる。
【００３１】
７４は、前記受材１８を支持フレーム６の支柱４１に取付けるハンガーである。ハンガー７４は、左右に耳片７５，７６を備える溝型鋼状の係合部７７と、係合部７７の左側の耳片７５から直角に左方向に折曲し、更に手前に９０°折曲して形成したハンガー部７８とからなる。
【００３２】
ハンガー部７８の折曲したコーナーに上から切欠溝７９を形成する。また係合部７７の左側の耳片７５の寸法Ｌは、支持フレーム６の支柱４１の厚みＭよりも大きく形成し、ハンガー部７８が支柱４１の前面よりもやや前方に出るようにする。８１は、前記スライドボルト５１で支柱４１に取付ける取付孔である。
【００３３】
図８はカウンター用の支持フレームに取付けた前面板の受材の斜視図であり、支持フレーム６，７，８の支柱４１…に、上下方向に間隔をおいて夫々２つのハンガー７４，７４を固定する。このハンガー７４の切欠溝７９に、上方から前記受材１８，１８を落し込んで水平に掛止する（図９も参照）。
【００３４】
図９は本発明の洗面器用設備ユニットの側面図であり、配管フレーム５の中間部フレーム２２に、スライドボルト５１でブラケット８２を固定し、このブラケット８２をアンカーボルト８３で建物躯体の壁面８４に固定する。また床固定材２６に一体に取付けたステー２７をアンカーボルト８５で建物躯体の床８０に固定する。
【００３５】
給水管２、排水管３、通気管４は、夫々Ｕボルト８６，８７，８８で支持材３１…に取付ける。支持材３１とＵボルト８６，８７，８８によって、建物躯体側に予め配管されている図示せぬ設備本管の接続口が施工誤差によってずれていても、支持材３１に固定する給水管２、排水管３、通気管４の取付け位置を調整して、容易に設備本管との接続作業を行なうことができる。
【００３６】
洗面器１１の排水口８９と排水管３との間に排水トラップ９０を接続する。また、排水管３と通気管４とを管９１で接続する。
尚、９２は液体石けんの容器、９３は湯水混合栓である。
【００３７】
図１０は幅木の側面図であり、幅木４５にフィラー４６を嵌め、幅木４５及びフィラー４６に、支持フレーム６，７，８の取付部材４４…を嵌め込んで、アジャストボルト９５で支持フレーム６，７，８の高さ調整をする。幅木４５の後面（図の右側）に、鉤の手状に直角に折曲したステー９６を溶接で固定しておき、ステー９６をアンカーボルト９７で床８０に固定する。９８は床８０の仕上材である。
【００３８】
図１１は配管見取図であり、建物躯体１００内を仕切壁１０１，１０２で仕切り、腰掛便器１０３を設置したトイレブース１０４、小便器１０５を設置した男子便所１０６、及び前記洗面器用設備ユニット１を設置した洗面所１０７を簡略化して描いたものである。
【００３９】
建物躯体１００の外に、上下方向に設備本管である給水管１１１、排水管１１２、通気管１１３を配管し、夫々接続配管１１４，１１５，１１６を接続する。接続配管１１４，１１５，１１６を建物躯体１００に設けた開口部１１７，１１８に挿通し、洗面所１０７の給水管２、排水管３、通気管４に接続する。
【００４０】
この時接続配管１１４，１１５，１１６が施工誤差によって、上下方向、或いは左右方向にずれていても、これらに接続する給水管２、排水管３、通気管４が、図３で説明した支持材３１…によって、配管フレーム５に対する取付け位置を、上下方向、或いは左右方向に自由に調整することができるので、現場での接続作業を容易に行なうことができる。
【００４１】
トイレブース１０４、及び男子便所１０６の配管と、給水管２、排水管３、通気管４との接続についても、図３で説明した支持材３１…によって配管を取付けることによって、同様の効果を奏することができる。
【００４２】
次に以上述べた構成を持つ本発明の洗面器用設備ユニットの組立工法について、図１２〜図１５により説明する。
図１２において、洗面所の壁１２１に沿って床８０に床固定材２６を固定する。床固定材２６の前方に所定の間隔を開けて、床固定材２６と平行に幅木４５を固定する。幅木４５の左右の端部と壁１２２（左側の壁のみ図示）との間には、多少の間隔Ｓを開けておく。壁１２２が施工誤差によって洗面所側に多少傾いていた場合、この間隔Ｓを開ける。
【００４３】
図１３において、床固定材２６に配管フレーム５の下部フレーム２５を嵌めて固定し、配管フレーム５の中間部フレーム２２を図示せぬアンカーボルトで壁１２１に固定する。配管フレーム５の左右の縦フレーム２３，２４に、図示せぬスライドボルトで支持材３１…を取付ける。次いで支持材３１…に、Ｕボルト８６，８７，８８で位置調整をして、給水管２、排水管３、通気管４を固定し、建物躯体側に予め配管されている図示せぬ給水管、排水管、及び通気管の設備本管と接続する。
【００４４】
図１４において、壁１２２と幅木４５との間の間隔Ｓに、傾いた壁１２２の調整のためのフィラー４６，４６を取付ける。配管フレーム５の前面側に支持フレーム６，７，８を持ってきて、幅木４５に、支持フレーム６，７，８の支柱４１の下端部の図示せぬ取付部材を嵌める。次いで配管フレーム５の上部フレーム２１に、水平部材４２の後端部の位置調整部材４３…を左右方向の位置調整をして固定する。
【００４５】
図１５において、支持フレーム６，７，８の支柱４１にハンガー７４…を固定し、このハンガー７４…に、受材１８，１８を掛けて取付ける。更にこの受材１８，１８に前記前面板１３，１３（図１参照）を取付け、前記壁１２２の誤差を調整するために、前記フィラー１５，１５を取付ける。
最後に前記前記洗面器１１を有するカウンター１２を載置して洗面器用設備ユニット１が完成する。
【００４６】
本発明の組立工法によれば、給水管２、排水管３、通気管４を取付ける配管フレーム５を、洗面器１１，１１を有するカウンター１２を支持する支持フレーム６，７，８よりも先に取付けるので、配管フレーム５の前方は開放された状態となる。従って配管フレーム５に給水管２、排水管３、通気管４を固定する作業も、給水管２、排水管３、通気管４を建物躯体側に予め配管されている給水管、排水管、通気管の設備本管と接続する作業も容易に行なうことができる。
【００４７】
【発明の効果】
本発明は上記構成により次の効果を発揮する。
請求項１は、配管を収納し上面に洗面器を有するカウンターを備える洗面器用設備ユニットにおいて、床に固定され前記配管を支持する配管フレームと、この配管フレームの前側に配管フレームと別体に設けられ、前記カウンターを支持する複数の支持フレームとからなり、配管フレームに、間隔を開けて各支持フレームを位置調整自在に取付け、支持フレームの位置調整は、左右方向であり、配管フレームの上部フレームに位置調整部材を左右方向に移動可能に設け、位置調整部材の左右方向移動で前記支持フレームを左右方向に位置調整可能に構成し、位置調整部材は、左右方向に延びる上部フレームに形成した溝に沿って左右方向に移動可能な係合片に連結し、且つ位置調整部材は、係合片との連結部よりも前記配管フレームの左右方向外側の位置で、前記支持フレームの水平部材の端部と連結しているように構成した。
【００４８】
配管を取付ける配管フレームと、カウンターを支持する支持フレームとを別体に設けたので、先に配管フレームを取付けることができるから、支持フレームに邪魔されることなく、配管と建物躯体側に予め配管されている設備本管との接続作業を容易に行なうことができる。
又、配管フレームに、間隔を開けて各支持フレームを位置調整自在に取付けたので、万一洗面器用設備ユニットを設置した洗面所の壁面が施工誤差によって洗面所側に多少傾いていても、支持フレームを移動させて簡単に位置調整することができる。
配管フレームに対する支持フレームの位置調整を、左右方向にしたので、左右の壁面の施工誤差に対して支持フレームを左右方向に移動させて簡単に位置調整することができる。
【００４９】
請求項２は、配管を収納し上面に洗面器を有するカウンターを備える洗面器用設備ユニットにおいて、床に固定され前記配管を支持する配管フレームと、この配管フレームの前側に配管フレームと別体に設けられ、カウンターを支持する複数の支持フレームとからなり、配管フレームに、間隔を開けて各支持フレームを位置調整自在に取付け、支持フレームの位置調整は、左右方向であり、前記配管フレームの上部フレームに位置調整部材を左右方向に移動可能に設け、位置調整部材の左右方向の移動で、支持フレームを前記配管フレームと、配管フレームの左右方向に位置する壁面との間で位置調整可能に構成した。
請求項２では、配管を取付ける配管フレームと、カウンターを支持する支持フレームとを別体に設けたので、先に配管フレームを取付けることができるから、支持フレームに邪魔されることなく、配管と建物躯体側に予め配管されている設備本管との接続作業を容易に行なうことができる。
又、配管フレームに、間隔を開けて各支持フレームを位置調整自在に取付けたので、万一洗面器用設備ユニットを設置した洗面所の壁面が施工誤差によって洗面所側に多少傾いていても、支持フレームを移動させて簡単に位置調整することができる。
配管フレームに対する支持フレームの位置調整を、左右方向にしたので、左右の壁面の施工誤差に対して支持フレームを左右方向に移動させて簡単に位置調整することができる。
【００５０】
請求項３は、請求項２において、位置調整部材で左右方向に移動可能な支持フレームを直立支持する支柱の下端部にフィラーを設け、該フィラーを幅木と嵌合させるようにしたことを特徴とする。
【００５１】
請求項４は、請求項２において、配管フレームに前記配管を支持する支持材を設け、この支持材は、前記配管フレームに固定する固定部と、長孔を備えＵボルトで前記配管を取付ける取付部とからなる。
建物躯体側に予め配管されている設備本管の接続口が施工誤差によってずれていても、Ｕボルトの両端部を長孔にナットで固定することによって、支持材の固定部に固定する配管の取付け位置を調整して容易に設備本管との接続作業を行なうことができる。
【００５２】
請求項５は、請求項２において、支持フレームは、床に固定される支柱と、この支柱の上端部に位置調整自在に取付けられる水平部材とで略逆Ｌ字型に形成した。
設備ユニットを設置した周囲の壁が施工誤差によって多少傾いていても、水平部材の支柱に対する取付け位置を調整することによって、容易にこの誤差を吸収することができる。
【００５３】
請求項６は、請求項３において、水平部材に対する支柱の位置調整は、前後方向とした。
設備ユニットの後方の壁が施工誤差によって前方に多少傾いていても、水平部材の支柱に対する取付け位置を前後方向に調整することによって、容易にこの誤差を吸収することができる。
【図面の簡単な説明】
【図１】本発明の洗面器用設備ユニットの分解斜視図
【図２】配管フレームの斜視図
【図３】配管フレームに配管を支持する支持材の斜視図
【図４】配管フレームに建付ける支持フレームの分解斜視図
【図５】スライドボルトの斜視図
【図６】配管フレームにスライドボルトで取付ける支持フレームの要部の斜視図
【図７】支持フレームの分解斜視図
【図８】カウンター用の支持フレームに取付けた前面板の受材の斜視図
【図９】本発明の洗面器用設備ユニットの側面図
【図１０】幅木の側面図
【図１１】配管見取図
【図１２】本発明の洗面器用設備ユニットの組立て手順を説明する図
【図１３】本発明の洗面器用設備ユニットの組立て手順を説明する図
【図１４】本発明の洗面器用設備ユニットの組立て手順を説明する図
【図１５】本発明の洗面器用設備ユニットの組立て手順を説明する図
【図１６】従来の洗面器用設備ユニット（従来技術１）の斜視図
【図１７】別の従来の洗面器用設備ユニット（従来技術２）の側面図
【符号の説明】
１…洗面器用設備ユニット，２，１１１…給水管，３，１１２…排水管，４，，１１３…通気管，５…配管フレーム，６…支持フレーム，１１…洗面器，１２…カウンター，１３…前面板，１５，１６，１７，４６…フィラー，１８…受材，２１…上部フレーム，２２…中間部フレーム，２３…左縦フレーム，２４…右縦フレーム，２５…下部フレーム，２６…床固定材，３１…支持材，３２…固定部，３４…取付部，３７，３８…長孔，４１…支柱，４２…水平部材，４５…幅木，５１…スライドボルト，６４…アングル材，７４…ハンガー，８０…床，８５，９７…アンカーボルト，８６，８７，８８…Ｕボルト，１００…建物躯体，１０１，１０２…仕切壁，１２１，１２２…壁。
【図１】
0003757553.tif 000002
【図２】
0003757553.tif 000003
【図３】
0003757553.tif 000004
【図４】
0003757553.tif 000005
【図５】
0003757553.tif 000006
【図６】
0003757553.tif 000007
【図７】
0003757553.tif 000008
【図８】
0003757553.tif 000009
【図９】
0003757553.tif 000010
【図１０】
0003757553.tif 000011
【図１１】
0003757553.tif 000012
【図１２】
0003757553.tif 000013
【図１３】
0003757553.tif 000014
【図１４】
0003757553.tif 000015
【図１５】
0003757553.tif 000016
【図１６】
0003757553.tif 000017
【図１７】
0003757553.tif 000018